(57)【要約】【課題】横方向のサイズを小さくでき、コスト低減と軽量化ができる壁掛型空気調和機の据付板を提供する。【解決手段】壁面に設けられた配管貫通穴２２(２１)の中心Ｏ2(Ｏ1)に、据付板１の本体部３１の側縁の延長線を合わせると共に、据付板１の本体部３１に設けられた係止穴１２(１１)に先端が係止された巻尺１０を水平方向に延ばして、延ばされた巻尺１０の側縁を配管貫通穴２２(２１)の中心Ｏ2(Ｏ1)に合わせることによって、配管貫通穴２２(２１)に対して本体部３１を所定の位置に取り付ける。【選択図】図１
2005233608.tif 000002
【特許請求の範囲】
【請求項１】
壁掛型空気調和機(２)を壁に据え付けるために予め壁面に取り付けられる壁掛型空気調和機の据付板であって、
本体部(３１)の側縁の延長線を壁面に設けられた配管貫通穴(２１,２２)の中心に合わせることによって、上記配管貫通穴(２１,２２)に対して上記本体部(３１)が所定の位置に取り付けられることを特徴とする壁掛型空気調和機の据付板。
【請求項２】
請求項１に記載の壁掛型空気調和機の据付板において、
物差し(１０)の長手方向が据付時の水平方向になるように上記物差し(１０)の先端が係止可能な係止穴(１１,１２)を設け、
上記係止穴(１１,１２)に先端が係止された上記物差し(１０)の両側の縁のいずれか一方を上記配管貫通穴(２１,２２)の中心に合わせることによって、上記配管貫通穴(２１,２２)に対して上記本体部(３１)が所定の高さに取り付けられることを特徴とする壁掛型空気調和機の据付板。
【発明の詳細な説明】
【技術分野】
【０００１】
この発明は、壁掛型空気調和機を室内の壁面に据え付けるときに使用される壁掛型空気調和機の据付板に関する。
【背景技術】
【０００２】
従来、壁掛型空気調和機の据付板としては、壁面に設けられた配管貫通穴の中心に対する水平位置を合わせるための位置合わせ部を平板状の本体部の両側に設けたものがある(例えば、実開昭６２−１６７０２０号公報(特許文献１)参照)。この壁掛型空気調和機の据付板では、上記位置合わせ部を通る垂線に上記配管貫通穴の中心を合わせて、その配管貫通穴に対して壁面の所定の位置に据付板を取り付けている。
【０００３】
ところが、上記壁掛型空気調和機の据付板では、上記位置合わせ部よりも外側すなわち配管貫通穴の中心を通る垂線よりも外側に据付板の本体部の両側が出ており、横方向のサイズが大きくなるという欠点がある。
【特許文献１】実開昭６２−１６７０２０号公報
【発明の開示】
【発明が解決しようとする課題】
【０００４】
そこで、この発明の目的は、横方向のサイズを小さくでき、コスト低減と軽量化ができる壁掛型空気調和機の据付板を提供することにある。
【課題を解決するための手段】
【０００５】
上記目的を達成するため、この壁掛型空気調和機の据付板は、壁掛型空気調和機を壁に据え付けるために予め壁面に取り付けられる壁掛型空気調和機の据付板であって、本体部の側縁の延長線を壁面に設けられた配管貫通穴の中心に合わせることによって、上記配管貫通穴に対して上記本体部が所定の位置に取り付けられることを特徴としている。
【０００６】
上記構成の壁掛型空気調和機の据付板によれば、上記本体部の側縁の延長線を壁面に設けられた配管貫通穴の中心に合わせることによって、上記配管貫通穴の中心に対する上記本体部の側縁の水平方向の位置が定まるので、別に位置合わせ部を本体部の両側近傍に設けることなく、配管貫通穴に対して本体部を所定の位置に取り付けることが可能となる。したがって、この据付板の本体部の側縁が配管貫通穴の中心よりも外側にならないので、横方向のサイズを小さくできる。また、横方向のサイズを小さくすることによりコスト低減と軽量化ができる。
【０００７】
また、一実施形態の壁掛型空気調和機の据付板は、物差しの長手方向が据付時の水平方向になるように上記物差しの先端が係止可能な係止穴を設け、上記係止穴に先端が係止された上記物差しの両側の縁のいずれか一方を上記配管貫通穴の中心に合わせることによって、上記配管貫通穴に対して上記本体部が所定の高さに取り付けられることを特徴としている。
【０００８】
上記実施形態の壁掛型空気調和機の据付板によれば、上記本体部を壁面に取り付けるとき、本体部を水平にすると共に、上記係止穴に物差しの先端を係止した状態で上記物差しの長手方向を略水平にし、上記物差しの両側の縁のいずれか一方を上記配管貫通穴の中心に合わせる。そうすることによって、上記配管貫通穴の中心に対する係止穴の高さが定まるので、配管貫通穴に対して本体部を壁面の所定の高さに容易に取り付けできる。
【発明の効果】
【０００９】
以上より明らかなように、この発明の壁掛型空気調和機の据付板は、壁掛型空気調和機を壁に据え付けるために予め壁面に取り付けられる壁掛型空気調和機の据付板であって、本体部の側縁の延長線を壁面に設けられた配管貫通穴の中心に合わせることによって、上記配管貫通穴に対して本体部を所定の位置に取り付けられるものである。
【００１０】
したがって、上記構成の壁掛型空気調和機の据付板によれば、上記本体部の側縁の延長線を壁面に設けられた配管貫通穴の中心に合わせることによって、上記配管貫通穴の中心に対する上記本体部の側縁の水平方向の位置が定まり、配管貫通穴に対して本体部を所定の位置に取り付けることが可能となる。したがって、この据付板の本体部の側縁が配管貫通穴の中心よりも外側にならないので、横方向のサイズを小さくできる。また、横方向のサイズを小さくすることによりコスト低減と軽量化ができる。
【００１１】
また、一実施形態の壁掛型空気調和機の据付板は、物差しの長手方向が据付時の水平方向なるように上記物差しの先端が係止可能な係止穴を設け、上記係止穴に先端が係止された物差しの両側の縁のいずれか一方を上記配管貫通穴の中心に合わせることによって、配管貫通穴に対して本体部を所定の高さに取り付けるものである。
【００１２】
したがって、上記実施形態の壁掛型空気調和機の据付板によれば、水平にした上記本体部の係止穴に物差しの先端を係止した状態で上記物差しの長手方向を略水平にし、上記物差しの両側の縁のいずれか一方を上記配管貫通穴の中心に合わせることによって、配管貫通穴の中心に対する係止穴の高さが定まるので、配管貫通穴に対して本体部を壁面の所定の高さに容易に取り付けることができる。
【発明を実施するための最良の形態】
【００１３】
以下、この発明の壁掛型空気調和機の据付板を図示の実施の形態により詳細に説明する。
【００１４】
図１はこの発明の実施の一形態の壁掛型空気調和機の据付板の正面図であり、１は据付板、２は上記据付板１に取り付けられる壁掛型空気調和機である。
【００１５】
図１に示すように、上記据付板１は、平板状の本体部３１の上端に所定の間隔をあけて係止部３２,３２を設けている。上記本体部３１の左側の係止部３２の下側に長手方向が上下方向の複数の長穴３３を設ける一方、右側の係止部３２の下側に長手方向が左右方向の複数の長穴３４を設けている。また、上記据付板１の本体部３１の下側両コーナーには、配管貫通穴２１,２２からの配管類を通すための略長方形状の切り欠き部１a,１bを夫々設けている。上記本体部３１の切り欠き部１a,１bの近傍に、上下方向に長い係止穴１１,１２を夫々設けている。上記据付板１の両側縁の延長線が壁面に設けられた配管貫通穴２１,２２の中心Ｏ1,Ｏ2に夫々合わせることによって、据付板１を所定の位置に取り付け可能にしている。なお、図１では、壁面に２つの配管貫通穴２１,２２を設けたが、据付状況に応じていずれか一方に設ければよい。
【００１６】
上記構成の壁掛型空気調和機の据付板１において、例えば右側の配管貫通穴２２が設けられた壁面に取り付ける場合、図１に示すように、まず据付板１の右側の側縁の延長線が配管貫通穴２２の中心Ｏ2に合うようにし、さらに、図２に示すように、物差しとしての鋼鉄製の巻尺１０の略直角に折れ曲がった先端部１０aを係止穴１２に係止させた状態で、巻尺１０を水平方向に外側に向かって延ばして、巻尺１０の下側の縁に配管貫通穴２２の中心Ｏ2に合うようにする。このとき、水準器等を用いて、据付板１の本体部３１を長手方向が水平になるようにする。そうすることによって、図１に示すように、据付板１の係止穴１２から配管貫通穴２２の中心Ｏ2までの距離Ｌ1と、切り欠き部１bの上側の縁から配管貫通穴２２の中心Ｏ2までの距離Ｌ2とが所定値になり、据付板１の本体部３１が配管貫通穴２２に対して壁面の所定の位置に取り付けられる。そして、上記据付板１の本体部３１の長穴３３,３４にねじ(図示せず)を挿入して、壁面にねじ込み、据付板１を壁面に固定する。なお、左側に配管貫通穴２１が設けられた壁面に取り付ける場合も、同様である。そうして、上記据付板１の係止部３２,３２に壁掛型空気調和機２の背面上部を係止させて、壁掛型空気調和機２を壁面に取り付けると、壁掛型空気調和機２により据付板１および配管貫通穴２２が隠れる。
【００１７】
このように、上記壁掛型空気調和機の据付板１では、配管貫通穴２１,２２の中心Ｏ1,Ｏ2を通る夫々の垂線よりも外側に据付板１の本体部３１の両側が出ないので、横方向のサイズを小さくでき、コストを削減することができると共に、軽量化することができる。
【００１８】
また、上記係止穴１２(または１１)に巻尺１０の先端部１０aを係止した状態で巻尺１０の長手方向を略水平にし、巻尺１０の下側の縁を配管貫通穴２２(または２１)の中心Ｏ2(Ｏ1)に合わせることによって、配管貫通穴２２(または２１)の中心Ｏ2(Ｏ1)に対する係止穴１２(または１１)の高さが定まるので、この据付板1を配管貫通穴２２(または２１)に対して壁面の所定の高さに容易に取り付けることができる。
【００１９】
上記実施の形態では、据付板１に配管貫通穴２２(または２１)に対する高さを決める係止穴１１,１２を設けたが、係止穴に限らず、係止爪等の位置合わせ部を設けたものでもよい。
【図面の簡単な説明】
【００２０】
【図１】図１はこの発明の実施の一形態の壁掛型空気調和機の据付板の正面図である。
【図２】図２は上記壁掛型空気調和機の据付板の要部の拡大図である。
【符号の説明】
【００２１】
１…据付板、
１a,１b…切り欠き部、
２…壁掛型空気調和機、
１０…巻尺、
１０a…先端部、
１１,１２…係止穴、
２１,２２…配管貫通穴、
３１…本体部、
３２…係止部。
【図１】
2005233608.tif 000003
【図２】
2005233608.tif 000004